(57)【要約】【課題】店舗のチラシの特売情報や、地域広報を配信し、そのなかから所望の情報をスケジュールに格納し、表示する家庭スケジュール作成支援システムを提供する。【解決手段】家庭スケジュール作成支援システム１は、店舗の販促チラシの商品情報や地域情報からなるコンテンツを格納するコンテンツＤＢ４１と、登録ユーザのユーザＤＢ４７と予定表ＤＢ４９を有するサーバ３が、ネットワーク１１を介してユーザ端末３と接続される。サーバ３は、店舗端末７および地域端末９からコンテンツをコンテンツＤＢに登録する。また、サーバ３は、ユーザ端末５に販促チラシや地域情報からなるコンテンツ情報を表示させる。また、サーバ３は、ユーザ端末５からユーザが選択した商品情報や地域情報を、当該ユーザの予定表ＤＢ４９に格納し、予定表ＤＢ４９に格納された当該ユーザの予定を表示する。【選択図】図１
2012128608.tif 000002
【特許請求の範囲】
【請求項１】
ユーザ端末とサーバがネットワークを介して接続されたスケジュール作成支援システムであって、
前記サーバは、
前記ユーザ端末から前記サーバにアクセスする登録ユーザの予定が格納される予定表データベースと、
前記ユーザ端末に提供するコンテンツが格納されるコンテンツ・データベースと、
前記ユーザ端末に前記コンテンツを表示させるコンテンツ表示手段と、
前記ユーザ端末において前記登録ユーザにより指定された前記コンテンツの情報を、当該登録ユーザの予定表データベースに格納する予定表作成手段と、
前記ユーザ端末に、前記予定表データベースを表示させる予定表表示手段と、
を有することを特徴とするスケジュール作成支援システム。
【請求項２】
前記サーバは、
前記コンテンツとして、店舗の販促チラシ画像および前記販促チラシに掲載されている商品の商品情報、並びに、地域情報を前記コンテンツ・データベースに格納させるコンテンツ登録手段、
を更に有し、
前記商品情報は、前記商品の販売日時と販促情報より成り、前記地域情報は、イベント開催日時とイベント内容から成ることを特徴とする請求項１に記載のスケジュール作成支援システム。
【請求項３】
前記予定表作成手段は、前記登録ユーザにより指定された前記商品の前記販促情報を、前記販売日時に対応付けて前記予定表データベースに格納し、前記登録ユーザにより指定された前記地域情報の前記イベント内容を、前記イベント開催日時に対応付けて前記予定表データベースに格納することを特徴とする請求項２に記載のスケジュール作成支援システム。
【請求項４】
前記サーバは、
前記ユーザ端末に表示させるコンテンツとして、前記店舗および前記地域情報を特定する情報を前記登録ユーザに予め指定させるコンテンツ指定手段、
を更に有し、
前記コンテンツ表示手段は、前記コンテンツ指定手段により指定されたコンテンツのみを前記ユーザ端末に表示させることを特徴とする請求項２に記載のスケジュール作成支援システム。
【請求項５】
前記サーバは、
前記予定表データベースに格納されている前記登録ユーザの予定の日時に先立ち前記登録ユーザの予定の内容を前記ユーザ端末に表示させるリマインド手段、
を更に有することを特徴とする請求項１乃至請求項３のいずれかに記載の家庭スケジュール作成支援システム。
【請求項６】
ユーザ端末とネットワークを介して接続されたサーバであって、
前記ユーザ端末から前記サーバにアクセスする登録ユーザの予定が格納される予定表データベースと、
前記ユーザ端末に提供するコンテンツが格納されるコンテンツ・データベースと、
前記ユーザ端末に前記コンテンツを表示させるコンテンツ表示手段と、
前記ユーザ端末において前記登録ユーザにより指定された前記コンテンツの情報を、当該登録ユーザの予定表データベースに格納する予定表作成手段と、
前記ユーザ端末に、前記予定表データベースを表示させる予定表表示手段と、
を有することを特徴とするサーバ。
【請求項７】
ユーザ端末と、前記ユーザ端末から前記サーバにアクセスする登録ユーザの予定が格納される予定表データベース、及び、前記ユーザ端末に提供するコンテンツが格納されるコンテンツ・データベースを有するサーバがネットワークを介して接続されたスケジュール作成支援システムにおけるスケジュール作成支援方法であって、
前記サーバが、前記ユーザ端末に前記コンテンツを表示させるコンテンツ表示ステップと、
前記サーバが、前記ユーザ端末において前記登録ユーザにより指定された前記コンテンツの情報を、当該登録ユーザの予定表データベースに格納する予定表作成ステップと、
前記サーバが、前記ユーザ端末に、前記予定表データベースを表示させる予定表表示ステップと、
を実行することを特徴とするスケジュール作成支援方法。
【請求項８】
コンピュータを、請求項６に記載のサーバとして機能させるためのプログラム。
【発明の詳細な説明】
【技術分野】
【０００１】
本発明は、スケジュールの作成を支援するシステムであって、特に、店舗のチラシの特売情報や、地域広報を配信し、そのなかから所望の情報をスケジュールに格納し、表示するスケジュール作成支援システムに関する。
【背景技術】
【０００２】
従来、販促チラシ等の広告や、市報、区報等の自治体、行政機関の情報は、印刷物等で各家庭に配布されている。しかしながら、不要な情報も含まれるため、生活者に見てもらえない、日程調整が面倒でやめてしまう、日時、場所等を忘れてしまう等の理由で有効に活用されているとは言えない。
最近では、インターネット等の普及により、家庭の端末から市区町村の提供する情報を閲覧したり、店舗の情報を得たりすることが可能になってきている。また、特売情報を配信する特売情報配信システム（特許文献１）や地域情報を配信する地域情報配信システム（特許文献２）等が提案されている。
【０００３】
特許文献１は、特売情報配信センタを構築し、ネットワークを介して配信センタと店舗端末および顧客端末を結合し、店舗端末から配信センタに特売情報を送信し、配信センタから顧客端末に電子メールで当該特売情報を送信するシステムである。
また、特許文献２は、配信する地域を指定した広告データを集中管理サーバで管理し、集中管理サーバと接続され、地域ごとに配置された地域配信サーバを介して、無線基地局内にある携帯端末に広告データを配信する地域情報配信システムである。
【先行技術文献】
【特許文献】
【０００４】
【特許文献１】特開２００４−５４５４５号公報
【特許文献２】特開２００２−９６９１号公報
【発明の概要】
【発明が解決しようとする課題】
【０００５】
しかしながら、上記に提案されているシステムは、情報配信側から一方的に情報を提供するシステムであり、提供されたユーザは、配信された情報のなかの必要な情報を記憶し予定に組み入れようとする場合、ユーザ側にある予定表等に書き込む必要があった。
仕事を持つ兼業主婦等、日々忙しい主婦にとっては、配信される情報があっても、それを自分で予定表に書き込んでスケジュール管理をすることは面倒であり、情報が有効活用されないという問題がある。
【０００６】
本発明は、上記の問題を鑑みてなされたものであり、その目的は、店舗のチラシの特売情報や、地域広報を配信し、そのなかから所望の情報をスケジュールに格納し、表示する家庭スケジュール作成支援システムを提供することである。
【課題を解決するための手段】
【０００７】
前述した目的を達成するための第１の発明は、ユーザ端末とサーバがネットワークを介して接続されたスケジュール作成支援システムであって、前記サーバは、前記ユーザ端末から前記サーバにアクセスする登録ユーザの予定が格納される予定表データベースと、前記ユーザ端末に提供するコンテンツが格納されるコンテンツ・データベースと、前記ユーザ端末に前記コンテンツを表示させるコンテンツ表示手段と、前記ユーザ端末において前記登録ユーザにより指定された前記コンテンツの情報を、当該登録ユーザの予定表データベースに格納する予定表作成手段と、前記ユーザ端末に、前記予定表データベースを表示させる予定表表示手段と、を有することを特徴とするスケジュール作成支援システムである。
これによって、ユーザは、所望の情報をスケジュールに格納し、表示することができる。
【０００８】
前記サーバは、前記コンテンツとして、店舗の販促チラシ画像および前記販促チラシに掲載されている商品の商品情報、並びに、地域情報を前記コンテンツ・データベースに格納させるコンテンツ登録手段、を更に有し、前記商品情報は、前記商品の販売日時と販促情報より成り、前記地域情報は、イベント開催日時とイベント内容から成ることが望ましい。
これによって、ユーザは、店舗のチラシの特売情報や、地域広報に基づいてスケジュールを作成することができる。
【０００９】
また、前記予定表作成手段は、前記登録ユーザにより指定された前記商品の前記販促情報を、前記販売日時に対応付けて前記予定表データベースに格納し、前記登録ユーザにより指定された前記地域情報の前記イベント内容を、前記イベント開催日時に対応付けて前記予定表データベースに格納することが望ましい。
これによって、ユーザは、店舗のチラシの特売情報や、地域広報の中から所望の情報を指定するだけでスケジュールを作成することができる。
【００１０】
また、前記サーバは、前記ユーザ端末に表示させるコンテンツとして、前記店舗および前記地域情報を特定する情報を前記登録ユーザに予め指定させるコンテンツ指定手段、を更に有し、前記コンテンツ表示手段は、前記コンテンツ指定手段により指定されたコンテンツのみを前記ユーザ端末に表示させることが望ましい。
これによって、ユーザは、予め登録した店舗や地域情報のみを得ることが可能となり、情報過多の状態となることを回避できる。
【００１１】
また、前記サーバは、前記予定表データベースに格納されている前記登録ユーザの予定の日時に先立ち前記登録ユーザの予定の内容を前記ユーザ端末に表示させるリマインド手段、を更に有することが望ましい。
これによって、ユーザは、事前に予定を確認することができ、予定忘れを防止することが可能になる。
【００１２】
第２の発明は、ユーザ端末とネットワークを介して接続されたサーバであって、前記ユーザ端末から前記サーバにアクセスする登録ユーザの予定が格納される予定表データベースと、前記ユーザ端末に提供するコンテンツが格納されるコンテンツ・データベースと、前記ユーザ端末に前記コンテンツを表示させるコンテンツ表示手段と、前記ユーザ端末において前記登録ユーザにより指定された前記コンテンツの情報を、当該登録ユーザの予定表データベースに格納する予定表作成手段と、前記ユーザ端末に、前記予定表データベースを表示させる予定表表示手段と、を有することを特徴とするサーバである。
【００１３】
第３の発明は、ユーザ端末と、前記ユーザ端末から前記サーバにアクセスする登録ユーザの予定が格納される予定表データベース、及び、前記ユーザ端末に提供するコンテンツが格納されるコンテンツ・データベースを有するサーバがネットワークを介して接続されたスケジュール作成支援システムにおけるスケジュール作成支援方法であって、前記サーバが、前記ユーザ端末に前記コンテンツを表示させるコンテンツ表示ステップと、前記サーバが、前記ユーザ端末において前記登録ユーザにより指定された前記コンテンツの情報を、当該登録ユーザの予定表データベースに格納する予定表作成ステップと、前記サーバが、前記ユーザ端末に、前記予定表データベースを表示させる予定表表示ステップと、を実行することを特徴とするスケジュール作成支援方法である。
【００１４】
第４の発明は、コンピュータを、第２の発明のサーバとして機能させるためのプログラムである。
【００１５】
本発明により、ユーザは、サーバから、所望の店舗の販促チラシや地域広報を受け取り、そのなかから所望の情報を予定表に格納し、見たい時に予定表を表示したり、また、予定の日時に先立ちサーバが自動的に予定表を表示することにより、予定を思い出したり、確認することが可能になる。
【図面の簡単な説明】
【００１６】
【図１】本発明の実施形態における家庭スケジュール作成支援システム１のシステム構成例を示す図
【図２】サーバ３、ユーザ端末５、店舗端末７、地域端末９のハードウエア構成図
【図３】コンテンツ・データベース４のチラシＤＢ４２およびチラシ商品ＤＢ４３の構成例を示す図
【図４】地域情報ＤＢ４４の構成例を示す図
【図５】ユーザＤＢ４７および予定表ＤＢ４９の構成例を示す図
【図６】ユーザ登録の処理の流れを示すフローチャート
【図７】コンテンツ登録の処理の流れを示すフローチャート
【図８】家庭スケジュール作成支援の処理の流れを示すフローチャート（その１）
【図９】家庭スケジュール作成支援の処理の流れを示すフローチャート（その２）
【図１０】家庭スケジュール作成支援の処理の流れを示すフローチャート（その３）
【図１１】家庭スケジュール作成支援の処理の流れを示すフローチャート（その４）
【図１２】機能選択画面例５０１を示す図
【図１３】チラシ選択画面例５１０を示す図
【図１４】チラシ画面例（１）５２０を示す図
【図１５】チラシ画面例（２）５３０を示す図
【図１６】地域掲示板の画面例５４０を示す図
【図１７】予定表の画面例５５０を示す図
【図１８】特定の日の予定画面例５６０を示す図
【図１９】更新情報の画面例（１）５７０を示す図
【図２０】更新情報の画面例（２）５８０を示す図
【図２１】更新情報の画面例（３）５９０を示す図
【図２２】アラーム画面例６００を示す図
【発明を実施するための形態】
【００１７】
以下、図面を参照して、本発明の実施形態を詳細に説明する。
図１は、本発明の実施形態における家庭スケジュール作成支援システム１の構成例を示す図である。
【００１８】
図１に示すように、家庭スケジュール作成支援システム１は、サーバ３と、ユーザ端末５、および、店舗端末７、地域端末９がネットワーク１１を介して接続されている。
【００１９】
サーバ３は、データベース３１を備え、後述する家庭スケジュール作成支援システム１のプログラムを後述する制御部が実行し、家庭スケジュールの作成を支援する。
データベース３１は、コンテンツ・データベース４１と、ユーザＤＢ（データベース）４７、予定表ＤＢ（データベース）４９から成り、さらに、コンテンツ・データベース４１は、チラシＤＢ（データベース）４２、チラシ商品ＤＢ（データベース）４３、地域情報ＤＢ（データベース）４４より成る。
【００２０】
コンテンツ・データベース４１は、サーバ３がユーザ端末５に提供、表示するコンテンツを格納するデータベースである。
チラシＤＢ４２は、スーパーマーケット等の販促チラシの画像情報等を格納するデータベースである。
チラシ商品ＤＢ４３は、チラシＤＢ４２に格納されている各販促チラシに掲載されている商品についての情報を格納するデータベースである。商品についての情報は、各商品の販促チラシ上の位置情報（チラシ位置４３１）や、予定表ＤＢ４９に格納する予定表記載内容４３６等からなる。
地域情報ＤＢ４４は、市や区、町等の行政や地域団体等が発行する情報を格納するデータベースである。
【００２１】
また、ユーザＤＢ４７は、家庭スケジュール作成支援システム１を使用するユーザを識別するユーザＩＤ４７１やパスワード４７２、情報を閲覧する店舗や行政、地域団体、予定表ＤＢ４９のファイル名４７６等を格納する。
予定表ＤＢ４９は、登録ユーザの予定や、店舗、行政、地域団体の情報を格納する。
【００２２】
ユーザ端末５は、ネットワーク１１を介してサーバ３に接続され、サーバ３が提供する販促チラシや地域情報を表示し、登録ユーザは、その表示に従って興味のある予定表ＤＢ４９に格納したい情報を指定する。
また、ユーザ端末５は、サーバ３から送信される登録ユーザの予定表ＤＢ４９の予定を表示する。
【００２３】
店舗端末７は、スーパーマーケット等の店舗が有する端末であり、ネットワーク１１を介して、サーバ３のデータベース３１のコンテンツ・データベース４１に販促チラシや商品情報を登録する。
販促チラシの画像等はチラシＤＢ４２に格納され、販促チラシに掲載されている商品の情報はチラシ商品ＤＢ４３に格納される。
【００２４】
地域端末９は、市や区、町等の行政機関や、地域団体が有する端末であり、ネットワーク１１を介して、サーバ３のデータベース３１の地域情報ＤＢ４４に地域情報を登録する。
【００２５】
図２は、サーバ３のハードウエア構成例を示す図である。
図２に示すように、サーバ３は、システムバス２０４を介して、ＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、入力コントローラ２０５、ビデオコントローラ２０６、メモリコントローラ２０７、通信Ｉ／Ｆコントローラ２０８、音声入出力コントローラ２０９、プリンタコントローラ２１０等が接続された構成である。
【００２６】
ＣＰＵ２０１は、システムバス２０４に接続される各デバイスやコントローラを統括的に制御する。
また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やＯＳ（Ｏｐｅｒａｔｉｎｇ  Ｓｙｓｔｅｍ）や、サーバ３が実行する機能を実現するために必要な後述する各種プログラム等が記憶されている。
ＲＡＭ２０２は、ＣＰＵ２０１の主メモリ、ワークエリア等として機能する。
ＣＰＵ２０１は、処理の実行に際して必要なプログラム等をＲＡＭ２０２にロードして、プログラムを実行することで各種動作を実現する。
【００２７】
入力コントローラ２０５には、例えば、キーボードやスキャナ、図示しないマウス等のポインティングデバイス等の入力機器２１１が接続され、各入力機器２１１からの入力を制御する。
ビデオコントローラ２０６には、例えば、液晶ディスプレイやＣＲＴ（Ｃａｔｈｏｄｅ  Ｒａｙ  Ｔｕｂｅ）等のディスプレイ装置２１２が接続され、ディスプレイ装置２１２への表示を制御する。
【００２８】
メモリコントローラ２０７には、ブートプログラム、ブラウザソフトウエア、後述する各種のアプリケーション・プログラム、フォントデータ、前述のデータベース３１等を記憶するハードディスク装置ＨＤ（Ｈａｒｄ  Ｄｉｓｋ  Ｄｒｉｖｅ）、フロッピー（登録商標）ディスクＦＤ（Ｆｌｅｘｉｂｌｅ  Ｄｉｓｋ  Ｄｒｉｖｅ）等の外部メモリ２１３が接続される。
【００２９】
プリンタコントローラ２１０には、インクジェットプリンタ、レーザープリンタ等のプリンタ装置２１５が接続され、プリンタコントローラ２１０は、プリンタ装置２１５への出力を制御する。
【００３０】
通信Ｉ／Ｆコントローラ２０８は、ネットワーク１１を介して、ユーザ端末５、店舗端末７、地域端末９等の外部機器と接続・通信するものであり、ネットワーク１１の通信制御処理を実行する。例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いたインターネット通信等が可能である。
音声入出力コントローラ２０９には、マイク・スピーカー２１４等の音声入出力装置が接続される。
【００３１】
なお、ＣＰＵ２０１は、例えば、ＲＡＭ２０２内の表示情報領域へアウトラインフォントの展開（ラスタライズ）処理を実行することにより、ディスプレイ装置２１２上のマウスカーソル（図示しない）等によるユーザ指示を可能とする。
【００３２】
本実施の形態を実現するためのプログラムは外部メモリ２１３に記録されており、必要に応じてＲＡＭ２０２にロードされることによりＣＰＵ２０１によって実行される。これらについての詳細な説明は後述する。
【００３３】
ユーザ端末５、店舗端末７、地域端末９のハードウエア構成は詳述しないが、図２に示したサーバ３のハードウエア構成と同様のパーソナルコンピュータ等のコンピュータで構成できる。
【００３４】
次に、サーバ３のデータベース３１に格納される各データベースのデータ構成例について説明する。
図３は、コンテンツ・データベース４１のチラシＤＢ４２およびチラシ商品ＤＢ４３のデータ構成例、図４はコンテンツ・データベース４１の地域情報ＤＢ４４のデータ構成例、図５は、ユーザＤＢ４７および予定表ＤＢ４９のデータ構成例を示す図である。
【００３５】
まず、図３（ａ）に従って、スーパーマーケット等の店舗の販促チラシについての情報が格納されているチラシＤＢ４２について、図３（ｂ）に従って、チラシ商品ＤＢ４３のデータ構成例について説明する。
【００３６】
図３（ａ）に示すように、チラシＤＢ４２は、例えば、店舗ＩＤ４２１、店舗名４２２、チラシ日時４２３、チラシＮｏ．４２４、画像ファイル４２５等で構成される。
店舗ＩＤ４２１は、店舗を特定する識別情報である。図３（ａ）に示すように、例えば、店舗名４２２「スーパー○○」の店舗ＩＤ４２１は「０１」、店舗名４２２「ＤＩＹの□□」の店舗ＩＤ４２１は「０２」というように、店舗ＩＤ４２１は、店舗を識別可能に付与される。
【００３７】
各店舗は、販促チラシを毎日、あるいは何日かおきに提供すると考えられ、チラシ日時４２３には販促チラシの提供日が、チラシＮｏ．４２４には、販促チラシを識別可能な番号等の識別情報が付与され、格納される。
【００３８】
画像ファイル４２５は、各店舗が作成した販促チラシの画像情報が格納されている画像ファイル名４２５である。
例えば、画像ファイル名「ａａａ３」を呼び出して表示させると、「スーパー○○」の「２０１０年１０月３日」のチラシＮｏ．４２４「１００３１」の販促チラシが表示される。画像ファイルは、図示していないが、コンテンツ・データベース４１内に格納されている。
販促チラシの画像情報は、新聞の折り込み広告等として作成される販促チラシを、店舗端末７のスキャナ２１１でスキャンすることにより得られる画像データでもよいし、ＨＴＭＬ（Ｈｙｐｅｒ  Ｔｅｘｔ  Ｍａｒｋｕｐ  Ｌａｎｇｕａｇｅ）等のマークアップ言語で記述された商品画像や商品情報等の情報から成るドキュメントであってもよい。
【００３９】
図３（ｂ）は、チラシ商品ＤＢ４３のデータ構成例を示す図である。
チラシ商品ＤＢ４３は、販促チラシに掲載されている各商品についての情報が格納される。
図３（ｂ）に示すように、チラシ商品ＤＢ４３は、例えば、チラシＮｏ．４２４、チラシ位置４３１、商品ＩＤ４３２、商品名４３３、セール期間４３４、価格４３５、予定表記載内容４３６等の項目からなる。必須の項目は、チラシＮｏ．４２４、および、チラシ位置４３１、および、セール期間４３４、および、予定表記載内容４３６である。
【００４０】
チラシＮｏ．４２４は、図３（ａ）のチラシＤＢ４２のチラシＮｏ．４２４に相当する。
チラシ位置４３１は、販促チラシ上に掲載されている商品の位置の範囲を示す情報であり、例えば、矩形領域の対角の２頂点の座標値（例えば、（ｘ１、ｙ１）、（ｘ２、ｙ２））で表現される。
また、商品ＩＤ４３２は、掲載商品の識別情報（例えば、「ｍ１」）、商品名４３３は、掲載商品の商品名（例えば、「牛ステーキ用（１枚）」）である。
【００４１】
セール期間４３４は、当該商品が販促チラシに掲載されている価格で販売される期間を示す情報である。セール日が販促チラシの提供日時（チラシ日時４２３）と同じであれば時間が（例えば、「１７〜」）、セール日が販促チラシの提供日（チラシ日時４２３）以外の場合には日時が（例えば、「１０/２２、９〜」）、セール日が複数の日にまたがる場合には日日の期間が（例えば、「１０/２０−１０/２５」格納される。
【００４２】
価格４３５は、セール期間４３４の当該商品の価格（例えば、「４９８」円）である。５％割引で販売する場合には「＊０．９５（０．９５掛け）」のように指定してもよい。
予定表記載内容４３６は、当該販促チラシを閲覧した登録ユーザが選択指定した商品について、当該登録ユーザの予定表ＤＢ４９に格納する当該商品についての記載内容を示す情報（例えば、「１７〜  スーパー○○牛ステーキ肉特売」）である。
【００４３】
次に、図４に従って、地域情報ＤＢ４４のデータ構成例について説明する。
図４に示すように、地域情報ＤＢ４４は、広報開始日４４１、項目４４２、実施日時４４３、地域情報源４７５、場所４４６、内容４４７等の項目より成る。
【００４４】
広報開始日４４１は、当該地域情報の提供を開始する日時であり、例えば、登録ユーザがどの広報開始日４４１に提供された地域情報まで閲覧済みであるかを検索するために用いる。
項目４４２は、地域情報の名称（例えば、「特別ゴミ回収」、「図書館まつり」等）である。
実施日時４４３は、項目４４２が開催される日時（例えば、「１０/２（火）８：００」等）である。
地域情報源４７５は、地域情報の発信元の名称（例えば、「清掃局」、「××町図書館」等）である。
場所４４６は、項目４４２が開催される場所（例えば、「公民館」等）である。
内容４４７は、項目４４２の詳細情報である。例えば、図４の項目４４２「公民館祭り」の場合は、「公民館祭り」の詳細情報である「１１：００  リサイクル市」、「１２：００  焼き芋会」、「１５：００  音楽発表会」のように、項目４４２についての詳細な情報が格納される。
【００４５】
次に、図５に従って、サーバ３のデータベース３１に格納されるユーザＤＢ４７および予定表ＤＢ４９について説明する。
図５（ａ）は、ユーザＤＢ４７のデータ構成例を示す図、図５（ｂ）は、予定表ＤＢ４９のデータ構成例を示す図である。
【００４６】
図５（ａ）に示すように、ユーザＤＢ４７は、ユーザＩＤ４７１、パスワード４７２、閲覧情報４７３、予定表ＤＢファイル名４７６、家族予定表ＤＢファイル名４７７等で構成される。
ユーザＩＤは、本実施形態の家族スケジュール作成支援システム１の登録ユーザを識別するための識別情報である。
パスワード４７２は、登録ユーザの家族スケジュール作成支援システム１へのアクセスを認証する際に用いる。
【００４７】
閲覧情報４７３は、コンテンツ・データベース４１に格納されている複数の店舗および複数の地域情報発信元のなかで、当該登録ユーザが閲覧する店舗および地域情報発信元を指定するための項目である。
閲覧情報４７３には、例えば、閲覧する店舗の店舗ＩＤ４２１および地域情報発信元の名称（地域情報源）４７５が格納される。
例えば、図５（ａ）のユーザＩＤ「０００１」のユーザは、店舗ＩＤ４２１が「０１」、「０２」、「０５」、「０６」の店舗の販促チラシと、「清掃局」、「公民館」、「○○小学校」、「××町図書館」、「△町町会」、「俳句の会」の地域情報を閲覧することを示している。
尚、閲覧情報４７３は、後述するユーザ登録時に、予め登録しておく。
【００４８】
予定表ＤＢファイル名４７６は、当該登録ユーザの予定を格納する予定表ＤＢのファイル名（例えば、「ｆ０００１」等）である。このファイル名４７６によって、当該登録ユーザの予定表を検索可能である。
また、家族予定表ＤＢファイル名４７７は、登録ユーザの、例えば家族等の予定を別の予定表として格納したい場合に作成する予定表のファイル名（例えば、「ｆ０００１−１」、「ｆ０００１−２」等）である。
【００４９】
図５（ｂ）は、予定表ＤＢ４９のデータ構成例を示す図である。
図５（ｂ）に示すように、予定表ＤＢ４９は、ファイル名４９１、月日４９２、時間４９３、内容４９４等の項目からなる。
ファイル名４９１は、ユーザＤＢ４７の予定表ＤＢファイル名４７６および家族予定表ＤＢファイル名４７７に対応する。
月日４９２は、登録ユーザの予定や店舗の商品情報、地域情報が実施される月日の情報であり、時間４９３は、実施される時間の情報である。
内容４９４には、登録ユーザの予定の内容や、指定された商品のチラシ商品ＤＢ４３の予定表記載内容４３６、地域情報ＤＢ４４の内容４４７が格納される。
【００５０】
以下、本実施の形態の家族スケジュール作成支援システム１の処理の流れを、図６〜図１１のフローチャートと、図１２〜図２２のユーザ端末５上の画面例に従って説明する。
各フローチャートのプログラムは、サーバ３の外部メモリ２１３に記憶されており、必要に応じてＲＡＭ２０２に呼び出され、ＣＰＵ２０１により実行される。
【００５１】
図６は、本実施の形態の家族スケジュール作成支援システム１のユーザ登録の処理の流れを示すフローチャートである。
このフローチャートに従った処理により、ユーザは、家族スケジュール作成支援システム１の使用を開始するのに先立って、ユーザ端末５から、予めユーザ登録を行う。
【００５２】
まず、ユーザ端末５から、ネットワーク１１を介してサーバ３にアクセスし、ユーザ登録を要求する（ステップ３０１）。
サーバ３は、この要求を受けて、ユーザ登録画面をユーザ端末５に送る（ステップ３０２）。
ユーザは、ユーザ端末５に表示されるユーザ登録画面に従って、ユーザ名（ユーザＩＤ４７１）および、パスワード４７２を入力し、サーバ３に送る（ステップ３０３）。
サーバ３は、ユーザ名（ユーザＩＤ４７１）およびパスワード４７２をユーザＤＢ４７に格納し（ステップ３０４）、ユーザが次回から家族スケジュール作成支援システム１にアクセスする場合に、アクセスを承認する認証情報として使用可能にする。
【００５３】
次に、サーバ３は、閲覧情報登録画面をユーザ端末５に送る（ステップ３０５）。閲覧情報登録画面には、サーバのコンテンツ・データベース４１にコンテンツとして販促チラシや地域情報が格納されている店舗の名前（店舗名４２２）や地域情報の発信元（地域情報源４７５）が選択可能に表示されているものとする。
ユーザは、ユーザ端末に表示された閲覧情報登録画面に従い、情報を閲覧したい店舗名４２２や地域情報源４７５を選択し、サーバ３に送る（ステップ３０６）。
【００５４】
サーバ３は、選択された店舗名４２２および地域情報源４７５を受け取り、店舗名４２２に対応する店舗ＩＤ４２１および地域情報源４７５をユーザＤＢ４７に登録する（ステップ３０７）。
これにより、サーバ３は、登録ユーザが所望の店舗および地域情報源の情報のみをユーザ端末５に送ることが可能になる。
【００５５】
次に、サーバ３は、予定表ＤＢ登録画面をユーザ端末５に送る（ステップ３０８）。
ユーザごとに少なくとも１つの予定表ＤＢファイルを作成可能とし、ファイル名等をユーザに入力させることを可能にする画面である。
ユーザは、ユーザ端末５に表示される予定表ＤＢ登録画面に従い、作成する予定表ＤＢの作成をサーバ３に要求する。例えば、登録ユーザ用の予定表ＤＢに加えて２人の子供の予定表ＤＢを作成する場合、これらの予定表ＤＢを判別可能にするファイル名（予定表ＤＢファイル名４７６および家族予定表ＤＢファイル名４７７）を指定すればよい。
サーバ３は、受け取った予定表ＤＢファイル名４７６および家族の予定表ＤＢファイル名４７７をユーザＤＢ４７に格納し、予定表ＤＢ４９に当該登録ユーザおよびその家族の予定表ＤＢを格納可能にする（ステップ３１０）。
以上の処理で、ユーザ登録処理が完了する。
尚、予定表ＤＢファイル名４７６および家族予定表ＤＢファイル名４７７は、サーバ３が自動的に付与するようにしてもよい。
また、閲覧を希望する店舗名４２２や地域情報源４７５は、ユーザ登録処理の後に変更することも可能である。
【００５６】
次に、図７のフローチャートに沿って、サーバ３のコンテンツ・データベース４１へのコンテンツの登録処理の流れを説明する。
スーパーマーケット等の店舗の販促チラシの商品情報をコンテンツ・データベースに登録する場合には、当該店舗の店舗端末７からサーバ３にアクセスし、コンテンツ登録を要求する（ステップ４０１）。
また、市や区等の行政機関や地域団体が地域情報をコンテンツ・データベースに登録する場合には、当該行政機関や地域団体にある地域端末９からサーバにアクセスし、コンテンツ登録を要求する（ステップ４０１）。
【００５７】
サーバ３は、店舗端末７あるいは地域端末９からのコンテンツ登録要求を受けて、コンテンツ登録画面を店舗端末７あるいは地域端末９に送る（ステップ４０２）。
このとき、店舗端末７からのコンテンツ登録要求の場合には販促チラシや商品情報のコンテンツ登録画面を、地域端末９からのコンテンツ登録要求の場合は、地域情報のコンテンツ登録画面を、それぞれ店舗端末７、地域端末９に送る。
【００５８】
店舗端末７用のコンテンツ登録画面は、図３（ａ）のチラシＤＢ４２および図３（ｂ）のチラシ商品ＤＢ４３を作成するために必要な情報を店舗の担当者が入力するための画面である。
すなわち、店舗端末７用のコンテンツ登録画面には、店舗ＩＤ４２１や店舗名４２２、チラシ日時４２３、チラシＮｏ．４２４、画像ファイル４２５や、当該販促チラシに掲載される各商品のチラシ上での位置情報４３１、セール期間４３４、予定表記載内容４３６等の情報を入力できる。
【００５９】
一方、地域端末９用のコンテンツ登録画面は、図４の地域情報ＤＢ４４を作成するために必要な情報を地域情報源４７５の担当者が入力するための画面である。
すなわち、地域端末９用のコンテンツ登録画面には、地域情報源４７５、地域情報の広報開始日４４１、項目４４２、実施日時４４３、場所４４６、内容４４７等の情報を入力できる。
【００６０】
店舗端末７あるいは地域端末９には、コンテンツ登録画面が表示され、この画面に従って、店舗の担当者あるいは地域情報源の担当者がコンテンツを入力し、サーバ３に送る（ステップ４０３）。
サーバ３は、送付されたコンテンツの情報を、コンテンツ・データベース４１に格納する（ステップ４０４）。
すなわち、店舗端末７から送られたコンテンツの情報（店舗ＩＤ４２１や店舗名４２２、チラシ日時４２３、チラシＮｏ．４２４、画像ファイル４２５や、当該販促チラシに掲載される各商品のチラシ上での位置情報４３１、セール期間４３４、予定表記載内容４３６等）を、チラシＤＢ４２、チラシ商品ＤＢ４３に格納する。
また、地域端末９から送られたコンテンツの情報（地域情報源４７５、地域情報の広報開始日４４１、項目４４２、実施日時４４３、場所４４６、内容４４７等）を、地域情報ＤＢ４４に格納する。
【００６１】
以上の処理により、コンテンツ・データベース４１のチラシＤＢ４２、チラシ商品ＤＢ４３、地域情報ＤＢ４４にコンテンツが登録され、登録ユーザに提供可能になる。
コンテンツは、新たな販促チラシが作成されるごとに、また、新たなイベントの情報が確定した際、および、更新された際に、その都度コンテンツ・データベース４１に登録される。
尚、コンテンツ登録作業は、店舗端末７や地域端末９からだけでなく、管理者がサーバ３に直接行っても良い。
【００６２】
以下、家族スケジュール作成支援システム１のスケジュール作成支援の処理の流れを図８〜図１１のフローチャートに沿って説明する。
【００６３】
まず、登録ユーザがユーザ端末５からネットワーク１１を介してサーバ３にアクセスする（ステップ５０１）。
サーバ３は、ユーザ認証画面をユーザ端末５に送る（ステップ５０２）。
登録ユーザは、ユーザ認証画面に従い、ユーザ名（ユーザＩＤ）およびパスワードを入力し、サーバ３に送る（ステップ５０３）。
サーバ３は、ユーザＤＢ４７を検索し、ユーザＩＤ４７１およびパスワード４７２を照合し、認証処理を実行する（ステップ５０４）。
【００６４】
認証されなかった場合（ステップ５０４のＮｏ）は、ユーザ端末５にその旨を送信したうえ、処理を終了する。
一方、ユーザ認証が成功した場合（ステップ５０４のＹｅｓ）、機能選択画面５０１をユーザ端末に送信する（ステップ５０５）。
ユーザは、ユーザ端末５に表示される機能選択画面５０１から、所望の機能を選択し、サーバ３に送る（ステップ５０６）。
【００６５】
図１２は、機能選択画面例５０１を示す図である。
図１２に示すように、機能選択画面５０１には、例えば、「お買物」５０２、「地域掲示板」５０３、「予定表」５０４、「リマインダー」５０５、「音声対話」５０６等の選択ボタンが表示される。
ユーザは、選択ボタンにカーソルを合わせてクリックすることにより、当該選択ボタンを選択し、選択されたボタンの情報をサーバ３に送ることが可能である。
また、ディスプレイ装置２１２に入力機器２１１としてタッチパネルが装備すれば、選択ボタンを指等でタッチすることにより当該選択ボタンを選択できるようにすることも可能である。
【００６６】
「お買物」選択ボタン５０２は、ユーザ端末５に店舗の販促チラシを表示させるための選択ボタンである。
「地域掲示板」選択ボタン５０３は、ユーザ端末５に地域情報を表示させるための選択ボタンである。
「予定表」選択ボタン５０４は、ユーザ端末５に当該登録ユーザの予定表を表示させるための選択ボタンである。
「リマインダー」選択ボタン５０５は、ユーザ端末５にその日の予定を表示させ、予定の時間に先だって予定を知らせるための選択ボタンである。
「音声対話」選択ボタン５０６は、操作方法や、選択内容等をコンピュータの合成音声でスピーカー２１４を介して出力したり、登録ユーザの音声をマイク２１４から入力させるための選択ボタンである。
【００６７】
サーバ７は、ユーザ端末５から送られる機能選択情報によって、「お買物」、「地域掲示板」、「予定表」、「リマインダー」に対応する処理を実行する（ステップ５０７）。
【００６８】
ステップ５０７において図１２の機能選択画面５０１で選択された機能選択情報が「お買物」である場合には、図９のＳ６０１に進む。図９は、販促チラシをユーザ端末５に表示し、登録ユーザが選択した商品の情報を当該登録ユーザの予定表ＤＢ４９に格納する処理の流れを示すフローチャートである。詳細は後述する。
ステップ５０７において図１２の機能選択画面５０１で選択された機能選択情報が「地域掲示板」である場合には、図１０のＳ７０１に進む。図１０は、地域情報をユーザ端末５に表示し、登録ユーザが選択した地域情報を当該登録ユーザの予定表ＤＢ４９に格納する処理の流れを示すフローチャートである。詳細は後述する。
【００６９】
また、ステップ５０７において図１２の機能選択画面５０１で選択された機能選択情報が「予定表」である場合には、図１１のステップ８０１に進む。図１１は、当該登録ユーザの予定表ファイルをユーザ端末５に表示する処理の流れを示すフローチャートである。詳細は後述する。
また、ステップ５０７において図１２の機能選択画面５０１で選択された機能選択情報が「リマインダー」である場合には、図１１のステップ８０５に進む。この場合、当該登録ユーザの予定表ファイルのその日の予定をユーザ端末５に表示する。詳細は後述する。
【００７０】
次に、図９に沿って、ステップ５０７において機能選択情報が「お買物」である場合の処理について説明する。
図９は、「お買物」が選択された場合の、処理の流れを示すフローチャートである。
【００７１】
まず、サーバ３は、チラシ選択画面５１０をユーザ端末５に送る（ステップ６０１）。
チラシ選択画面５１０は、登録ユーザが所望の店舗の所望の販促チラシを選択させるための画面である。
図１３は、チラシ選択画面例５１０を示す図である。
図１３に示すように、チラシ選択画面５１０には、チラシ選択ボタン５１１、「ＴＯＰ」選択ボタン５１２、「音声対話」選択ボタン５１６等がユーザが選択可能に表示される。
「ＴＯＰ」選択ボタン５１２は、家庭スケジュール作成支援システム１の最初の画面（機能選択画面５００）に戻るためのボタンである。
「音声対話」選択ボタン５１６は、操作方法や、選択内容等をコンピュータの合成音声でスピーカー２１４を介して出力したり、登録ユーザの音声をマイク２１４から入力させるための選択ボタンである。
【００７２】
ステップ６０１の処理では、サーバ３は、まず、ユーザＤＢ４７を検索し、当該ユーザの閲覧情報４７３に登録されている店舗ＩＤ４２１を抽出する。次に、抽出された店舗ＩＤ４２１をキーにチラシＤＢ４２を検索し、当該店舗のチラシＮｏ４２４、チラシ日時４２３、画像ファイル４２５を抽出し、チラシ選択画面５１０として店舗名４２２やチラシ日時４２３の情報からなるチラシ選択ボタン５１１を設け、当該チラシ選択画面５１０をユーザ端末５に送る。
【００７３】
サーバ３から送信されたチラシ選択画面５１０はユーザ端末５に表示される。登録ユーザが、ユーザ端末５に表示された上記のチラシ選択画面５１０から所望の選択ボタンを選択する（ステップ６０２）。
ステップ６０２には図示していないが、「ＴＯＰ」選択ボタン５１２が選択された場合には、図８のステップ５０５に戻る（機能選択画面５０１をユーザ端末５に表示させる）。
【００７４】
チラシ選択ボタン５１１の１つが選択された場合、ステップ６０３に進む。
サーバ３は、選択されたチラシ（例えば、「スーパー○○（１０月２０日）」のちらし）の画像ファイル４２５（例えば「ａａａ２０」）をコンテンツ・データベース４１から抽出し、チラシ画面５２０、５３０を作成し、ユーザ端末５に送る（ステップ６０３）。
【００７５】
図１４および図１５は、チラシ画面例５２０、５３０を示す図である。
図１４は、「スーパー○○」の「１０月２０日」付けの販促チラシ（画像ファイル４２５「ａａａ２０」）のチラシ画面例（１）５２０である。
チラシ画面（１）５２０は、販促チラシ５２１、スクロールバー５２２、「お買物クリップ」選択ボタン５２３、「ＴＯＰ」選択ボタン５２４、「戻る」選択ボタン５２５、「音声対話」選択ボタン５２６等からなる。
【００７６】
販促チラシ５２１は、画像ファイル４２５「ａａａ２０」に格納されている販促チラシの画像情報であり、この画像情報がディスプレイ装置に表示しきれない場合には、スクロールバー５２２等によってスクロールすることによって販促チラシ５２１のすべての部分が見られるようにする。
「お買物クリップ」選択ボタン５２３は、販促チラシ５２１に掲載されているいずれかの商品情報を予定表ＤＢ４９の当該登録ユーザの予定表ファイル４７６に格納したい場合に選択するボタンである。
【００７７】
「ＴＯＰ」選択ボタン５２４は、家庭スケジュール作成支援システム１の最初の画面（機能選択画面５００）に戻るためのボタンである。
「戻る」選択ボタン５２５は、一つ前の画面に戻るためのボタンである。
「音声対話」選択ボタン５２６は、操作方法や、選択内容等をコンピュータの合成音声でスピーカー２１４を介して出力したり、登録ユーザの音声をマイク２１４から入力させるための選択ボタンである。
【００７８】
ユーザ端末５は、サーバ３からチラシ画面５２０、５３０を受け取り、ディスプレイに表示し、登録ユーザに所望の選択ボタンを選択させる（ステップ６０４）。
登録ユーザが「ＴＯＰ」選択ボタン５２４を選択した場合には、図８のステップ５０５に戻る（機能選択画面５０１をユーザ端末５に表示させる）。
登録ユーザが「戻る」選択ボタン５２５を選択した場合には、図９のステップ６０１に戻る（チラシ選択画面５１０をユーザ端末に表示させる）。
【００７９】
登録ユーザが「お買物クリップ」選択ボタン５２３を選択した場合（ステップ６０４の「お買物クリップ」）は、次に、所望の商品の位置にカーソルを合わせてクリックするようにポップアップ表示等によって促し、登録ユーザに所望の商品を選択させ、「お買物クリップ」が選択された旨とクリックされたカーソルの位置情報をサーバ３に送る（ステップ６０５）。
【００８０】
サーバ３は、ユーザ端末５から受け取ったカーソルの位置情報について、チラシ商品ＤＢ４３の当該チラシＮｏ．４２４のデータについて、カーソルの位置情報が、どの商品のチラシ位置４３１の２頂点の座標で示される矩形範囲内にあるかを特定し、クリックされた所望の商品を特定する（ステップ６０６）。
【００８１】
次に、サーバ３は、予定表ＤＢ４９の当該登録ユーザの予定表ＤＢファイル４９１の、当該チラシ日時４２３の欄に、チラシ商品ＤＢ４３の当該商品のセール期間４３４の情報および予定表記載内容４３６を格納する（ステップ６０７）。
これにより、登録ユーザの予定表ＤＢファイル４９１に、登録ユーザ所望の商品の情報が格納される。
その後、ステップ６０４に戻り、同じチラシのチラシ画面５２０のユーザ端末５への表示に戻る。
【００８２】
例えば、図１４のチラシ画面５２０で、「お買物クリップ」選択ボタン５２３が選択され、その後、「卵」の部分にカーソルを合わせてクリックされた場合、サーバ３は、この販促チラシ５２１のチラシＮｏ．４２４である「１０２０１」についてチラシ商品ＤＢ４３のデータを参照し、商品を特定する。
すなわち、ユーザ端末から送られるカーソルの位置情報が、どの商品のチラシ位置４３１に属するかが判定され、「卵」であることが特定される（ステップ６０６）。
その後、サーバ３は、チラシ商品ＤＢ４３の「卵」のデータを抽出し、登録ユーザの予定表ＤＢファイル４９１「ｆ０００１」の月日４９２「１０月２０日（チラシ日時４２３に対応）」のデータとして、時間４９３「９：００（セール期間４３４に対応）」と、内容４９４「スーパー○○卵特売（予定表記載内容４３６に対応）」を格納する（ステップ６０７）。
【００８３】
また、図１５のチラシ画面５３０は、店舗「ＤＩＹの□□」の１０月１９日のチラシ５３１の画面例である。
例えば、「お買物クリップ」選択ボタン５２３が選択され、その後、「婦人用自転車」の部分にカーソルを合わせてクリックされた場合、サーバ３は、この販促チラシ５３１のチラシＮｏ．４２４である「１０１９２」についてチラシ商品ＤＢ４３のデータを参照し、商品を特定する。
すなわち、ユーザ端末から送られるカーソルの位置情報が、どの商品のチラシ位置４３１に属するかが判定され、「婦人用自転車」であることが特定される（ステップ６０６）。
その後、サーバ３は、チラシ商品ＤＢ４３の「婦人用自転車」のデータを抽出し、登録ユーザの予定表ＤＢファイル４９１「ｆ０００１」の月日４９２「１０月１９日（チラシ日時４２３に対応）」のデータとして、内容４９４「ＤＩＹの□□婦人用自転車特売（予定表記載内容４３６に対応）」を格納する（ステップ６０７）。
【００８４】
次に、図１０に沿って、ステップ５０７において図１２の機能選択画面で選択された機能選択情報が「地域掲示板」である場合の処理について説明する。
図１０は、「地域掲示板」が選択された場合の、処理の流れを示すフローチャートである。
【００８５】
サーバ３は、まず、当該登録ユーザについてユーザＤＢ４７の閲覧情報４７３の地域情報源４７５に格納されている閲覧を所望する地域情報源４７５について、地域情報ＤＢ４４を検索し、未提供の地域情報を抽出する（ステップ７０１）
このとき、ユーザＤＢ４７の当該登録ユーザのデータとして、閲覧済みの地域情報の広報開始日４４１を格納しておき、閲覧済みの地域の広報開始日４４１以降の広報開始日４４１の地域情報を地域情報ＤＢ４４から抽出することにより、登録ユーザに未提供の地域情報の項目を抽出することが可能である。
【００８６】
次に、サーバ３は、未提供の地域情報の項目が抽出されたか否かを判定する（ステップ７０２）。
未提供の地域情報の項目が無い（ステップ７０２の「無し」）場合には、図８のステップ５０５の機能選択画面５０１の表示へ戻る。
未提供の地域情報の項目が有る（ステップ７０２の「有り」）場合には、地域情報ＤＢ４４から「項目」４４２、実施日時４４３、場所４４６、内容４４７等のデータを抽出し、地域掲示板画面５４０としてユーザ端末５に送る（ステップ７０３）。
【００８７】
例えば、広報開始日４４１が９月１５日以降の地域情報が未提供の場合には、まず、９月１５日以降の登録されている最初の項目４４２である「地域歴史教室」について、実施日時４４３「１０月１７日」、場所４４６「○○小学校」、内容４４７「１０：００  地域歴史教室」のデータを抽出して地域掲示板画面５４０を作成し、ユーザ端末５に送る。
【００８８】
図１６は、地域掲示板画面例５４０を示す図である。
地域掲示板画面５４０は、地域情報と、「お出掛けクリップ」選択ボタン５４１、「家族お出掛けクリップ」選択ボタン５４２、「ＴＯＰ」選択ボタン５４３、「次へ」選択ボタン５４４、地域情報の内容のなかから予定表ＤＢ４９に格納する情報を選択するための選択ボタン５４５、「音声対話」選択ボタン５４６等で構成される。
地域情報としては、例えば、実施日時４４３である「１０月２０日（土）  １０：００〜１７：００」と、項目４４２である「図書館祭り」、場所４４６である「××町図書館」、内容４４７である「１１：００  科学遊び〜宇宙ってどんなとこ？」、「１３：００  読み聞かせ教室」、「１６：００  映画上映会」等の、地域情報ＤＢ４４から抽出したデータが埋め込まれる。
【００８９】
図１０のフローチャートのステップ７０４に戻り、ユーザ端末５に表示された地域掲示板画面５４０において、「お出掛けクリップ」選択ボタン５４１または「家族お出掛けクリップ」選択ボタン５４２を登録ユーザが選択し、かつ、選択ボタン５４５で予定表ＤＢ４９に格納したい地域情報の内容を指定すると（ステップ７０５）、サーバ３は、地域情報の項目４４２の情報と選択ボタン５４５によって選択された内容を、登録ユーザの予定表ＤＢ４９の予定表ＤＢファイル４９１または家族予定表ＤＢファイル４９２に格納する（ステップ７０６）。
ステップ７０６の完了後、ステップ７０４に戻る。
【００９０】
このとき、ステップ７０４において「お出掛けクリップ」選択ボタン５４１が選択されていた場合には、登録ユーザの予定表ＤＢファイル４９１に、ステップ７０４において「家族お出掛けクリップ」選択ボタン５４２が選択されていた場合には、登録ユーザの家族予定表ＤＢファイル４９２に地域情報が登録される。
ステップ７０４において「家族お出掛けクリップ」選択ボタン５４２が選択された場合には、どの家族予定表ＤＢファイル４９２（例えば、家族予定表ＤＢファイル名「ｆ０００１−１」か「ｆ０００１−２」のどちらか）に地域情報を格納するか登録ユーザに選択させることにより、適切な家族予定表ＤＢファイル４９２に地域情報を格納する。
【００９１】
「次へ」選択ボタン５４４は、地域情報ＤＢ４４の未提供の次の項目４４２の地域掲示板画面を表示するための選択ボタンであり、ステップ７０４が「次へ」の場合は、ステップ７０２に戻る。
また、「ＴＯＰ」選択ボタン５４３は、家庭スケジュール作成支援システム１の最初の画面（機能選択画面５００）に戻るためのボタンであり、図８のステップ５０５に戻る。
【００９２】
例えば、図１６の地域掲示板画面５４０において、登録ユーザが「お出掛けクリップ」選択ボタン５４１を選択し、主な催しのなかの「１３：００  読み聞かせ教室」の選択ボタン５４５を選択した場合には、サーバ３は、登録ユーザの予定表ＤＢファイル「ｆ０００１」の月日４９２のデータとして実施日時４４３の「１０月２０日（土）」、時間４９３のデータとして「１３：００」、内容４９４のデータとして「読み聞かせ教室」を格納する。
【００９３】
次に、図１１に沿って、ステップ５０７において図１２の機能選択画面５０１で選択された機能選択情報が「予定表」である場合の処理について説明する。
図１１は、「予定表」が選択された場合の、処理の流れを示すフローチャートである。
【００９４】
サーバ３は、まず、誰の予定表を表示するか登録ユーザに問い合わせる(ステップ８０１)。すなわち、登録ユーザの予定表ＤＢファイル名４７６、家族予定表ＤＢファイル名４７７のなかから表示する予定表のファイルを選択させる。
登録ユーザは、ユーザ端末から表示させる予定表を選択する（ステップ８０２）。
サーバ３は、選択された予定表のファイル名で予定表ＤＢ４９を検索し、当月の予定表を予定表画面５５０としてユーザ端末５に送る（ステップ８０１）。
ユーザ端末５は、予定表画面５５０を表示する（ステップ８０２）。
【００９５】
図１７は、予定表の画面例５５０を示す図である。
図１７に示すように、予定表の画面５５０は、予定表５５１、前月表示ボタン５５２、次月表示ボタン５５３、「ＴＯＰ」選択ボタン５５４、「音声対話」選択ボタン５５６等で構成される。
【００９６】
予定表５５１の各日には、予定表ＤＢ４９に格納されている当該登録ユーザの予定が一月分表示させている。
例えば、１０月２日（火）の予定としては、「地域掲示板」の処理（図１０）によって予定表ＤＢ４９に格納された「８：００  特別ゴミ回収」と、当該登録ユーザの個人的な予定である「１１：００  デイケア送り」等の予定が表示されている。
また、１０月２０日（土）の予定としては、「お買物」の処理（図９）によって予定表ＤＢ４９に格納された「９：００  スーパー○○  卵特売」と、地域掲示板」の処理（図１０）によって予定表ＤＢ４９に格納された「１３：００  図書館祭り  読み聞かせ教室」の予定が表示されている。
【００９７】
また、図１４のチラシ画面５２０において、「お買物クリップ」５２３を選択し、「１０月２２日（月）、２３日（火）は全品５％オフセール」にカーソルを合わせてクリックした場合、チラシ商品ＤＢ４３の商品ＩＤ「ａｌｌｏｆｆ」に対応し、セール期間４３４が複数日に及ぶ。このような場合、図１７の予定表５５１の１０月２２日、２３日の欄に示されるように、複数日にまたがってチラシ商品ＤＢ４９の予定表記載内容４３６の内容を表示するようにするとよい。
【００９８】
また、本実施の形態の予定表画面５５０では、図１７に示すように、一月分の予定表を表示させるようにしたが、例えば、週ごとに表示させるようにしてもよい。
【００９９】
図１１のステップ８０４に戻り、登録ユーザが、ユーザ端末５に表示された予定表画面５５０において、予定表５５２の任意の日の部分にカーソルを合わせてクリックした場合、クリックされた日を「特定の日」としてサーバ３に送る。
サーバ３は、「特定の日」のみの予定を１つの予定画面５６０としてユーザ端末５に送る（ステップ８０５）。
ユーザ端末５は、「特定の日」の予定画面５６０を表示する（ステップ８０６）。
【０１００】
一方、図１７の予定表画面５５０の前月表示ボタン５５２は、現在表示されている月の前の月の予定表の表示要求ボタン、次月表示ボタン５５３は、次の月の予定表の表示要求ボタンである。
前月表示ボタン５５２または次月表示ボタン５５３がユーザにより選択された場合（ステップ８０４の「前月」又は「次月」）は、ステップ８０３に戻り、該当する月（図１７の場合、「前月」ならば「９月」、「次月」ならば「１１月」の予定表画面５５０をユーザ端末５に送る。
【０１０１】
また、図１７の予定表画面５５０の「ＴＯＰ」選択ボタン５５４は、トップ画面である機能選択画面５０１の表示に戻るための要求ボタンであり、「ＴＯＰ」選択ボタン５５４が選択された場合（ステップ８０４の「ＴＯＰ」）には、図８のステップ５０５に戻り、機能選択画面５０１をユーザ端末５に送る。
【０１０２】
図１８は、ステップ８０４の「特定の日」の選択された場合に、サーバ３によってユーザ端末５に送られる特定の１日についての予定画面例５６０を示す図である。
図１８に示すように、特定の日の予定画面５６０は、特定の日の予定５６１、「予定修正・削除」ボタン５６２、「予定追加」ボタン５６３、「お買物チラシ」ボタン５６４、「ＴＯＰ」選択ボタン５６５、「戻る」選択ボタン５６７、「音声対話」選択ボタン５６６等により構成される。
図１８では、１０月２０日（土）についての当該登録ユーザの予定が表示されている。
【０１０３】
登録ユーザは、特定の日の予定画面５６０から、予定の修正や削除、予定の追加、販促チラシの閲覧等の処理をサーバ３に要求することが可能である。
ステップ８０６において「予定追加」ボタン５６３を登録ユーザが選択すると、サーバ３は、予定追加画面をユーザ端末５に送り（ステップ８０７）、ユーザは、ユーザ端末５に表示された予定追加画面に従って、追加予定の日時（例えば、１０月２０日（土）１９−２１）と内容（例えば、パート勤務）をキーボード２１１等により入力し、サーバ３に送る（ステップ８０８）。
サーバ３は、予定表ＤＢ４９の当該登録ユーザの予定表ＤＢファイル４７１の指定された日の予定として時間と内容の情報を追加する（ステップ８０９）し、その後、ステップ８０５に戻り、予定が追加された日（特定の日）の予定画面５６０をユーザ端末５に送る。
【０１０４】
ステップ８０６において「予定修正・削除」ボタン５６２を登録ユーザが選択し、特定の日の予定５６１の予定項目のなかの修正・削除処理を加える項目をクリックすると（ステップ８１０）、サーバ３は、修正・削除画面をユーザ端末５に送り（ステップ８１１）、ユーザ端末５は、受け取った修正・削除画面を表示する。ユーザは、ユーザ端末５に表示されている修正・削除画面に従って、削除の指定又は修正内容を入力し、サーバ３に送る（ステップ８１２）。
サーバ３は、受け取った削除指定又は修正内容により、予定表ＤＢ４９の当該登録ユーザの予定表ＤＢ４９を更新し（ステップ８１３）、ステップ８０５に戻り、予定が更新された特定の日の予定画面５６０をユーザ端末５に送る。
【０１０５】
ステップ８０６において「お買物チラシ」ボタン５６４を登録ユーザが選択した場合、図９のステップ６０１に戻る。
ステップ８０６において「戻る」選択ボタン５６７を登録ユーザが選択した場合、ステップ８０３に戻り、ステップ８０６で表示された特定の日が含まれる月の予定表画面５５０をユーザ端末５に送る。
また、ステップ８０６において「ＴＯＰ」選択ボタン５６５を登録ユーザが選択した場合には、図８のステップ５０５に戻り、機能選択画面５０１をユーザ端末に送る。
【０１０６】
図１２の機能選択画面５０１において「リマインダー」選択ボタン５０５が選択された場合には、「リマインダー」選択ボタン５０５が選択された日を特定の日として、図１１のステップ８０５の処理に戻り、特定の日の予定画面５６０をユーザ端末５に送る。
これにより、図１８に示したような、その日の予定画面５６０がユーザ端末５に表示され、登録ユーザはその日の予定を確認することが可能である。
【０１０７】
また、一端コンテンツ・データベース４１の地域情報ＤＢ４４に格納した地域情報に変更が生じる場合が考えられる。
このような場合には、図７に示したコンテンツ登録処理の流れに従って、変更が生じた地域情報を地域情報ＤＢ４４に格納する。
例えば、図４の地域情報ＤＢ４４の広報開始日４４「１０月７日」のデータのように、「項目」４４２として、「図書館まつりの内容変更」や「俳句の会からのお知らせ」として変更内容を格納しておくことにより、図１０の「地域掲示板」の処理を実行することにより、地域掲示板画面５４０と同様に、例えば、図１９に示すような更新情報の画面５７０をユーザ端末５に表示することも可能である。
【０１０８】
図１９に示すように、更新情報画面５７０は、例えば、更新内容の項目表示５７１、「ＴＯＰ」選択ボタン５７３、「音声対話」選択ボタン５７６等で構成される。
更新内容の項目表示５７１の項目（例えば、「図書館まつりの内容変更」や「俳句の会からのお知らせ」）にカーソルを合わせてクリックすると、地域情報ＤＢ４４の実施日時４４３、場所４４６、内容４４７に格納されている更新内容を含めた画面をユーザ端末５に表示させるようにするとよい。
図２０は、図１９において「図書館まつりの内容変更」が選択された場合の、更新情報画面例５８０を示す図である。
地域情報ＤＢ４４の内容４４７に格納されている、「←中止になりました」によって、「映画上映会」が中止になったことを登録ユーザに示すことが可能になる。
【０１０９】
また、図２１は、図１９において「俳句の会からのお知らせ」が選択された場合の、更新情報画面例５９０を示す図である。
地域情報ＤＢ４４に格納されている実施日時４４３、場所４４６、内容４４７のデータが表示される。
これらの更新情報画面５８０、５９０も、図１６に示した地域掲示板画面５４０と同様に、「お出掛けクリップ」選択ボタン５８２、５９２および「家族お出掛けクリップ」選択ボタン５８３、５９３、「ＴＯＰ」選択ボタン５８４、５９４、選択ボタン５８５、５９５を有し、図１０のステップ７０４〜７０６の処理を実行することにより、当該登録ユーザの予定表ＤＢファイル４７６あるいは家族予定表ＤＢファイル４７７に、指定された内容を格納することが可能である。
【０１１０】
さらに、予定表ＤＢ４９の内容４９４ごとにアラーム設定の項目を追加することにより、各内容４９４の時間４９３に先だってアラーム情報を表示することも可能である。
図２２は、アラーム画面６００を示す図である。
アラーム画面６００は、図１１の予定表表示処理のステップ８０５〜の処理と同様の処理を実行することにより、ユーザ端末５に表示することが可能になる。
図２２は、例えば、予定表ＤＢ４９のファイル名「ｆ０００１」の月日４９２「１０月２０日（土）」の時間４９３「１３時」の内容４９４「図書館祭り  読み聞かせ教室」の項目に対して、アラーム設定の項目を追加して、「３０分前」に「出掛ける」ためのアラームを設定した場合のアラーム画面６００である。
【０１１１】
以上のように、サーバ３に、図６〜図１１に示したような処理の流れのプログラムを実行させることにより、店舗端末７や地域端末９から店舗の販促チラシや地域行政機関や地域団体による地域情報をコンテンツ・データベース４１として格納し（図７の処理）、登録ユーザが閲覧したい店舗の販促チラシのチラシ画面５２０、５３０をユーザ端末５に表示させ、販促チラシに掲載されている商品の特売日を、登録ユーザごとに設けられた予定表ＤＢ４９に格納し（図６、図８、図９の処理）、登録ユーザが閲覧したい地域行政機関や地域団体の地域情報の地域掲示板画面５４０をユーザ端末５に表示させ、地域掲示板画面５４０に表示されている内容を、登録ユーザごとに設けられた予定表ＤＢ４９に格納し（図６、図１０）、さらに、登録ユーザの予定表ＤＢ４９を予定表画面５５０あるいは特定の日の予定表画面５６０として表示させる（図１１）ことが可能になる。
【０１１２】
以上に説明した家庭スケジュール作成支援システム１により、店舗あるいは地域行政機関や地域団体から配信される特売情報や地域情報を、サーバ３によってユーザ端末５の登録ユーザに表示可能とし、さらに、表示された特売情報や地域情報を家庭スケジュールに容易に組み込み、リマインド機能により忘れることなく、特売情報や地域情報を有意義に活用することが可能になる。
【０１１３】
本発明の実施の形態では、家庭スケジュール作成支援システムとしたが、本発明はこれに限定されない。本発明は、例えば、家庭のスケジュールに代えて、学校、地域のコミュニティ（マンションや、町内会など）、職場などのスケジュールに適用することも可能である。
【０１１４】
尚、本発明は、前述した実施の形態に限定されるものではなく、種々の改変が可能であり、それらも、本発明の技術範囲に含まれる。
【符号の説明】
【０１１５】
１………家庭スケジュール作成支援システム
３………サーバ
５………ユーザ端末
７………店舗端末
９………地域端末
１１………ネットワーク
３１………データベース
４１………コンテンツ・データベース
４２………チラシＤＢ
４３………チラシ商品ＤＢ
４４………地域情報ＤＢ
４７………ユーザＤＢ
４９………予定表ＤＢ
【図１】
2012128608.tif 000003
【図２】
2012128608.tif 000004
【図３】
2012128608.tif 000005
【図４】
2012128608.tif 000006
【図５】
2012128608.tif 000007
【図６】
2012128608.tif 000008
【図７】
2012128608.tif 000009
【図８】
2012128608.tif 000010
【図９】
2012128608.tif 000011
【図１０】
2012128608.tif 000012
【図１１】
2012128608.tif 000013
【図１２】
2012128608.tif 000014
【図１３】
2012128608.tif 000015
【図１４】
2012128608.tif 000016
【図１５】
2012128608.tif 000017
【図１６】
2012128608.tif 000018
【図１７】
2012128608.tif 000019
【図１８】
2012128608.tif 000020
【図１９】
2012128608.tif 000021
【図２０】
2012128608.tif 000022
【図２１】
2012128608.tif 000023
【図２２】
2012128608.tif 000024